(57)【要約】【課題】肌の局所と面状部を好適に洗浄できるようにした肌洗浄用指サックを提供する。【解決手段】３本の手指を別々に挿入できる繊維で形成した３つの袋状部２，３，４を有し、且つ各袋状部２，３，４が横１列になるように袋状部２，３，４の開口部５で連接部６により接続して肌洗浄用指サック１とする。【選択図】図１
0003113488.tif 000002
【実用新案登録請求の範囲】
【請求項１】
３本の手指を別々に挿入できる繊維で形成した３つの袋状部を有し、且つ該各袋状部が横１列になるように袋状部の開口部で連接部により接続したことを特徴とする肌洗浄用指サック。
【請求項２】
２本の手指を別々に挿入できる繊維で形成した２つの袋状部を有し、且つ該各袋状部が横１列になるように袋状部の開口部で連接部により接続したことを特徴とする肌洗浄用指サック。
【請求項３】
前記袋状部が、繊維布による表面部と裏面部とを縫製して形成されたことを特徴とする請求項１又は２に記載の肌洗浄用指サック。
【請求項４】
前記縫製する表面部と裏面部の少なくとも一方が、伸縮布で形成されていることを特徴とする請求項３に記載の肌洗浄用指サック。
【請求項５】
前記袋状部が、不織布による表面部と裏面部とを縫製して形成されたことを特徴とする請求項１又は２に記載の肌洗浄用指サック。
【請求項６】
前記縫製する表面部と裏面部の少なくとも一方が、伸縮布で形成されていることを特徴とする請求項５に記載の肌洗浄用指サック。
【請求項７】
前記袋状部が、糸による編み上げにより形成されたことを特徴とする請求項１又は２に記載の肌洗浄用指サック。
【請求項８】
前記連接部が、伸縮材料からなることを特徴とする請求項１〜７のいずれか１つに記載の肌洗浄用指サック。
【考案の詳細な説明】
【技術分野】
【０００１】
本考案は、肌の一部を局所的に洗浄することと肌の面状部を広範に洗浄することを効果的に可能にした肌洗浄用指サックに関する。
【背景技術】
【０００２】
従来より、手指を用いて洗顔などを行う際には、石鹸或いはその他の洗浄液を用いて全ての手指を使って洗浄し、また、目元、小鼻の回り、耳の中、耳の裏側、顎の線から下側の喉部などの凹凸がある箇所を洗浄する際には、１本或いは２本の慣れた利き指を使って該箇所を局所的に洗浄している。
【０００３】
一方、布を用いて洗顔などを行うと、前記したように手指で洗顔するよりも汚れの除去効果が大幅に高められることが知られている。これは、手指では指の平坦な皮膚面での洗浄となるのに対し、布を用いて洗浄を行うと、布の繊維によって、毛穴や皮脂腺などに詰まった皮脂やメラニンなどの汚れ、肌の老化した角質などを確実に捕えて掻き落とす効果が高められることによると考えられる。
【０００４】
このため、例えば、特許文献１には、超極細繊維布で３本の指を入れられるように１つの幅広袋状に形成したフェイスクリーナを開示している。そして、特許文献１では、通常の布の繊維は径が約１５μｍであるのに対して、約２μｍという極細繊維を用いることにより、汚れを落す効果が高められたとしている。
【特許文献１】特開２００５−０２１３５０号公報
【考案の開示】
【考案が解決しようとする課題】
【０００５】
布を用いて洗顔などを行う場合に先ず考えられる簡単な方法としては、布製の手袋を手に装着して用いる方法がある。しかし、手袋は水を含むと重くなってしまい、その重さのために洗顔時に手が疲れてしまう問題があると共に、手袋は濡れると手指の動きが拘束されてしまうために細かな指の動きができ難くなリ、思い通りの洗顔などができないという問題がある。
【０００６】
また、例えば人指し指などの１本の指に繊維で形成した袋状部を嵌合して用いることが考えられる。この場合には袋状部が水を含んでもその重さは殆ど気にならず、しかも指は自由に動かすことができるので、目元、小鼻の回り、耳の中、耳の裏側、顎の線から下側の喉部などの凹凸のある箇所を、１本の慣れた利き指によって局所的に思い通りに洗浄することができる。しかし、１本の指に袋状部を嵌合して用いる場合、頬や額或いは頭皮などの比較的広い面状部を洗浄する際には洗浄し難く、思い通りに効果的に洗浄することができない。
【０００７】
一方、前記特許文献１に示す如く、人指し指と中指と薬指の３本の指を同時に挿入できるようにした幅広袋状のフェイスクリーナによれば、３本の指を面状に揃えることによって頬や額或いは頭皮などの面状部を好適に洗浄することができる。
【０００８】
しかし、特許文献１に示すフェイスクリーナは、３本の指を同時に入れるようにした１つの幅広袋状を形成しているために、１本の利き指を使用して目元、小鼻の回り、耳の中、耳の裏側、顎の線から下側の喉部などの凹凸のある箇所を局所的に洗浄しようとする時に、他の指がその動きを邪魔することになり、そのために使い勝手が悪くなって思い通りの洗浄ができないという問題がある。更に、幅広袋状による前記フェイスクリーナは、人指し指と中指と薬指の夫々の指先がフェイスクリーナの内部にフィットしないために、思い通りの洗浄ができないという問題がある。
【０００９】
本考案は、上記実情に鑑みてなしたもので、肌の局所と面状部を好適に洗浄できるようにした肌洗浄用指サックを提供しようとするものである。
【課題を解決するための手段】
【００１０】
本考案は、３本の手指を別々に挿入できる繊維で形成した３つの袋状部を有し、且つ該各袋状部が横１列になるように袋状部の開口部で連接部により接続したことを特徴とする肌洗浄用指サック、に係るものである。
【００１１】
また、本考案は、２本の手指を別々に挿入できる繊維で形成した２つの袋状部を有し、且つ該各袋状部が横１列になるように袋状部の開口部で連接部により接続したことを特徴とする肌洗浄用指サック、に係るものである。
【００１２】
前記袋状部は、繊維布による表面部と裏面部とを縫製して形成することができる。またこの時、縫製する表面部と裏面部の少なくとも一方は、伸縮布で形成されていてもよい。  前記袋状部は、不織布による表面部と裏面部とを縫製して形成することができる。またこの時、縫製する表面部と裏面部の少なくとも一方は、伸縮布で形成されていてもよい。
【００１３】
前記袋状部は、糸による編み上げにより形成することができる。
【００１４】
前記連接部は、伸縮材料で形成することができる。
【考案の効果】
【００１５】
本考案の肌洗浄用指サックによれば、繊維により形成した３つの袋状部が横１列になるように開口部で接続した肌洗浄用指サック、又は、繊維により形成した２つの袋状部が横１列になるように開口部で接続した肌洗浄用指サックとしたので、この肌洗浄用指サックを使い慣れた隣接する利き指に装着して、頬や額或いは頭皮などの比較的広い面状部を洗浄する時は３本又は２本の指を面状に揃えて用いることにより効果的な洗浄を行うことができる。
【００１６】
また、小鼻の回り、目元、耳の中、耳の裏側、顎の線から下側の喉部などの凹凸がある部分、或いは頭部の一部を局所的に洗浄する時は各袋状部は開口部で接続されているのみで自由に動かすことができるので、１本或いは２本の使い慣れた利き指を使用して必要な部分を局所的に繊細に洗浄することができる効果がある。
【考案を実施するための最良の形態】
【００１７】
以下、本考案の実施の形態を添付図面を参照して説明する。
【００１８】
図１〜図３は本考案の肌洗浄用指サックの形態の一例を示すもので、図１は肌洗浄用指サックの一例を示す正面図、図２は図１のＩＩ−ＩＩ方向矢視図、図３は図１の肌洗浄用指サックの使用状態を示す正面図である。
【００１９】
図１〜図３に示す肌洗浄用指サック１は、手の人指し指と中指と薬指に装着できるように繊維によって袋状に形成した３つの袋状部２，３，４を有し、該各袋状部２，３，４が横１列になるように開口部５の端部周縁を連接部６で互いに接続した構成を有する。
【００２０】
前記各袋状部２，３，４は、繊維布を用いて縫製により形成することができ、人指し指と中指と薬指の各指に装着するための縫い代を考慮した幅と長さとを有しており、先端は丸みを有し開口部５は長さ方向に対して直角に切断された形状を有する。この時、各袋状部２，３，４の長さは、標準的な手指の長さに対応して中指用の袋状部３が最も長く、次に薬指用の袋状部４が長く、人差し指用の袋状部２が最も短くなっており、且つ前記各袋状部２，３，４は標準的な手指の長さよりも若干短く形成している。
【００２１】
前記袋状部２，３，４を製造する方法の一例について、袋状部２を例にとって図４で説明すると、人指し指の形に対応するように裁断した表面部ａと裏面部ｂの２枚の繊維布８ａを用意し、この表面部ａと裏面部ｂの繊維布８ａを重ねて前記開口部５を除く周縁部を縫い目７で示すように縫製することにより、人指し指用の袋状部２を製造する。
【００２２】
前記袋状部２を形成する繊維布８ａは木綿などのように軟らかく肌に優しい材料であれば種々のものを用いることができ、また繊維の太さは細い方が好ましいが、一般に用いられている安価な木綿などの繊維布８ａをそのまま利用しても十分な洗浄効果が期待できる。
【００２３】
一方、図４に示す如く、表面部ａ（洗浄に用いられる側）には前記した繊維布８ａを用いる一方、裏面部ｂには繊維の編み方などにより伸縮性を保持させた伸縮布８ｃを用いることで製造できる。このように裏面部ｂに伸縮布８ｃを用いると伸縮性のある袋状部２を製造することができ、従って指に装着した際に袋状部２が指にフィットし指から抜け落ちるのを防止することができる。この時、前記表面部ａと裏面部ｂの両方を伸縮布８ｃとしてもよい。
【００２４】
尚、前記袋状部２は、前記したように指に対応する大きさに裁断した後で表面部ａと裏面部ｂを縫製して製造してもよいし、又は、予め２枚の大きな布に指に対応したＵ字状の縫い目７を複数形成しておき、後で縫い目７に沿って裁断することにより複数の袋状部２，３，４を同時に製造するようにしてもよい。また、図４では袋状部２の外側に縫い目７が現われた状態を示しているが、縫製した袋状部２を裏返して縫い目７が内側に隠れるようにして用いてもよい。
【００２５】
前記した方法により人指し指用と中指用と薬指用の各袋状部２，３，４を製造した後、該袋状部２，３，４を横に並べて夫々の開口部５の端部を糸などにより繋ぎ合わせて連接部６とすることにより、３つの袋状部２，３，４が横１列に連なった肌洗浄用指サック１が製造される。この時、前記連接部６は袋状部２，３，４における開口部５の縫い目７の端部を接続することが好ましい。前記連接部６は、ゴムなどの伸縮材料を用いて伸縮可能に接続することは好ましい。
【００２６】
一方、上記においては、繊維布８ａを用いて袋状部２，３，４を製造する場合について説明したが、繊維布８ａを用いることに代えて、繊維からなる不織布８ｂを用いて前記と同様にして袋状部２，３，４を形成し、更に不織布８ｂによる袋状部２，３，４を前記と同様に連接部６で接続することにより肌洗浄用指サック１を製造することができる。そしてこの場合には、図４に示す表面部ａを不織布８ｂとし、裏面部ｂを前記と同様の伸縮布とすることにより、伸縮性のある袋状部２，３，４とすることができるので好ましい。
【００２７】
図５、図６は前記袋状部２を製造する場合の他の方法を示したもので、木綿などの糸８ｄを用いて編み上げることにより袋状部２を形成する。このように糸８ｄで編み上げた袋状部２は継目のない筒状となるので装着し易い利点がある。図５のように糸８ｄで編み上げた人指し指用と中指用と薬指用の各袋状部２，３，４は、横に並べて開口部５の端部を前記編み上げに用いた糸８ｄ、或いは別の糸更にはゴムなどの伸縮材料を用いて接続することにより、図１に示すように３つの袋状部２，３，４が連接部６で横１列に連なった肌洗浄用指サック１を製造することができる。この時、前記袋状部２，３，４は、伸縮性の糸８ｄを用いる或いは伸縮性を有する編み方で編み上げると、各袋状部２，３，４が指にフィットするようになるので好ましい。
【００２８】
前記肌洗浄用指サック１は、手の大きさが異なっても使用できるように例えば大、中、小の大きさのものを用意することが好ましい。
【００２９】
図７〜図９は、前記肌洗浄用指サックの他の例を示したもので、図７は肌洗浄用指サックの他の例を示す正面図、図８は図１のＶＩＩＩ−ＶＩＩＩ方向矢視図、図９は図７の肌洗浄用指サックの使用状態を示す正面図である。
【００３０】
図７〜図９に示す肌洗浄用指サック９は、例えば人指し指と中指に装着できるようにした２つの袋状部２，３を備えて該各袋状部２，３が横１列になるように開口部５の端部を連接部６で互いに接続した構成を有する。上記図７〜図９に示した肌洗浄用指サック９の各袋状部２，３は、前記図４及び図５、図６で示したものと同様の材料及び製造方法にて製造することができる。
【００３１】
次に、上記図示例の作用を説明する。
【００３２】
図１、図２の肌洗浄用指サック１は、図３に示す如く、人指し指と中指と薬指に対応した袋状部２，３，４を夫々嵌合させて装着する。また、図７、図８の肌洗浄用指サック９は図９に示す如く、人指し指と中指に対応した袋状部２，３を夫々嵌合させて装着する。上記肌洗浄用指サック１，９は夫々両手に装着することが好ましい。
【００３３】
前記肌洗浄用指サック１，９を装着した手で石鹸或いはその他の洗浄液を用いて、顔や頭や首などを洗浄する。この時、前記肌洗浄用指サック１，９の袋状部２，３，４の表面部ａは、図４及び図５に示したように、繊維布８ａ又は不織布８ｂで、或いは糸８ｄを編み上げて形成してあるので、繊維が毛穴や皮脂腺などに詰まった皮脂やメラニンなどの汚れ、肌の老化した角質などを確実に捕えて掻き落とすことができ、よって手で洗うよりも極めて効果的にさっぱりと洗い上げることができ、繊維による洗浄により肌の新陳代謝を促進し、艶、張りのある肌を実現する効果が期待できる。尚、繊維による肌洗浄用指サック１，９は、洗浄効果が高いために洗い過ぎによるひりひり感を生じることがあるので、適度なタッチで肌を撫でるように優しく洗うことが好ましい。
【００３４】
前記縫製した袋状部２，３，４は、開口部５端部の縫い目７を連接部６で接続することにより、図１、図９に示すように手指に装着したとき、縫い目７は指の間に位置して指の腹の部分には存在しないので、縫い目７が存在しない表面部ａの繊維によって肌を良好に洗浄することができる。またこの時、図５に示したように、糸８ｄを用いて編み上げた袋状部２，３，４の場合は、周囲に縫い目が存在しないので良好な洗浄ができる。
【００３５】
前記肌洗浄用指サック１，９により頬や額、頭皮などの比較的広い面を洗浄する際には、図３の肌洗浄用指サック１では３本の指を面状に揃えた状態で洗浄を行い、また、図９の肌洗浄用指サック９では２本の指を面状に揃えた状態で洗浄を行う。これにより頬や額、頭皮などの面状部を広範に亘って効果的に洗浄することができる。更に、肌洗浄用指サック１，９を両手に装着して両手で洗浄することにより、左右の手指の動きを同じにして効果的な洗浄を行うことができる。
【００３６】
また、目元、小鼻の回り、耳の中、耳の裏側、顎の線から下側の喉部などの凹凸のある箇所を洗浄する際は、図３の３つの袋状部２，３，４、或いは図９の２つの袋状部２，３は開口部５の端部で連接部６により接続されているのみで何ら拘束されていないため自由に動くことができ、よって、１本或いは２本の慣れた利き指の腹或いは指先を使って必要な箇所を局所的に、しかも心地よい適度な強さで洗浄することができる。従って、特に気になる箇所を思い通りの強さで繊細に洗浄することができ、更に指を袋状部２，３，４で覆っているので、指先を立てて局所的な洗浄を行っても爪で肌を傷付けるような問題を生じることはない。
【００３７】
また、前記肌洗浄用指サック１，９を装着した手指で洗髪する時に頭皮を撫でるようにすると、毛穴に詰まった皮脂や老化した角質などの汚れが繊維により除去され、これにより頭皮の新陳代謝が促進されて髪の根元に張りが出て髪の艶が良好となり抜け毛も減少するといった効果が期待できる。
【００３８】
尚、前記肌洗浄用指サック１，９は、顔や頭部や首の洗浄以外に、肘や膝、足などの体全体の洗浄にも適用できる。
【００３９】
前記肌洗浄用指サック１，９の袋状部２，３，４の少なくとも裏面部ｂに伸縮布８ｃを用いたり、或いは伸縮性を有するように糸８ｄで袋状部２，３，４を編み上げることにより、袋状部２，３，４が伸縮性を有して各指にフィットするため、洗浄時に肌洗浄用指サック１，９が手指から抜け落ちる問題を防止して安定した使用を達成することができる。
【００４０】
前記肌洗浄用指サック１，９は使い捨としてもよいが、使用後に洗って乾燥させることにより何回でも使用することができる。
【００４１】
なお、本考案の肌洗浄用指サックは、上記形態にのみ限定されるものではなく、本考案の要旨を逸脱しない範囲内において種々変更を加え得ることは勿論である。
【図面の簡単な説明】
【００４２】
【図１】本考案の肌洗浄用指サックの形態の一例を示す正面図である。
【図２】図１のＩＩ−ＩＩ方向矢視図である。
【図３】図１の肌洗浄用指サックを手に装着した使用状態の正面図である。
【図４】袋状部を製造する方法の一例を示す正面図である。
【図５】袋状部を製造する他の方法を示す正面図である。
【図６】図５のＶＩ−ＶＩ方向矢視図である。
【図７】本考案の肌洗浄用指サックの形態の他の例を示す正面図である。
【図８】図７のＶＩＩＩ−ＶＩＩＩ方向矢視図である。
【図９】図７の肌洗浄用指サックを手に装着した使用状態の正面図である。
【符号の説明】
【００４３】
１  肌洗浄用指サック
２，３，４  袋状部
５  開口部
６  連接部
８ａ        繊維布
８ｂ        不織布
８ｃ        伸縮布
８ｄ        糸
９  肌洗浄用指サック
ａ  表面部
ｂ  裏面部
【図１】
0003113488.tif 000003
【図２】
0003113488.tif 000004
【図３】
0003113488.tif 000005
【図４】
0003113488.tif 000006
【図５】
0003113488.tif 000007
【図６】
0003113488.tif 000008
【図７】
0003113488.tif 000009
【図８】
0003113488.tif 000010
【図９】
0003113488.tif 000011